(57)【要約】      （修正有）【課題】単一の摺動部材を交換する時に複数の摺動部材を操作することを可能にするモジュール化したファンシステムを含むシステムを提供する。【解決手段】ネットワーク装置１００は、ハウジングを形成するように側壁１０６、１０８を有するラック部品１０２を含む。このハウジングが、後端から入ることができる摺動部材スロットを有する。ネットワーク装置は、複数の操作摺動部材１２２〜１２８を含む。複数の操作摺動部材の各々は、その１つの摺動部材スロットに取り付けられる。ネットワーク装置は、複数の取り外し可能なファンモジュール１３２〜１３９を有する。複数の取り外し可能なファンモジュールの各々は、その１つの操作摺動部材に取り付けられる。取り外し可能なファンモジュールは、独立に操作摺動部材から取り外されてもよいため、ネットワーク装置における残りの部品が動作を保持する前提で置換することができる。【選択図】図３
2019046445.tif 000002
【特許請求の範囲】
【請求項１】
ハウジングを形成するように複数の側壁を有し、後端から入ることのできる複数の摺動部材スロットを有するラック部品と、複数の操作摺動部材と、複数の取り外し可能なファンモジュールと、を含み、
前記複数の操作摺動部材のそれぞれは、前記摺動部材スロットの１つに取り付けられ、
前記複数の取り外し可能なファンモジュールのそれぞれは、前記操作摺動部材の１つに取り付けられる、ネットワーク装置。
【請求項２】
複数の前記操作摺動部材の各々は、前記取り外し可能なファンモジュールを含む請求項１に記載のネットワーク装置。
【請求項３】
複数の前記操作摺動部材の各々は、一対の摺動部材側壁、前部及び後部を備え、前記後部は、前記前部と結合するハードウェアを含み、且つ前記前部は、前記取り外し可能なファンモジュールの１つを支持するための取り付けブラケットを含む請求項１又は２に記載のネットワーク装置。
【請求項４】
前記操作摺動部材は、対応する前記取り外し可能なファンモジュールと接触するロックレバーを含み、前記ロックレバーが第１の位置と第２の位置との間で作動し、前記第１の位置にある前記ロックレバーが前記取り外し可能なファンモジュールを前記取り付けブラケットから押し出し、前記第２の位置にある前記ロックレバーが前記取り外し可能なファンモジュールを前記取り付けブラケットに固定する請求項３に記載のネットワーク装置。
【請求項５】
複数の前記取り外し可能なファンモジュールの各々は、ファン及びファンモータを含む請求項１〜４の何れか１項に記載のネットワーク装置。
【請求項６】
前記側壁における前記後端と対向するものに結合され、複数の電子素子を含む前部品を更に備える請求項１〜５の何れか１項に記載のネットワーク装置。
【請求項７】
ネットワーク装置のラック部品から取り除かれることのできる操作摺動部材であって、
前部及び後部を定義するように複数の側壁を含むケースと、
前記後部に設けられる回路板と、
前記前部に設けられる第１のファン取り付けブラケットと、
前記第１のファン取り付けブラケットに挿入され、モータ及びファンを含む取り外し可能なファンモジュールと、
を備える操作摺動部材。
【請求項８】
前記前部に設けられる第２のファン取り付けブラケットと、
前記第２のファン取り付けブラケットに挿入される第２の取り外し可能なファンモジュールと、
を更に含む請求項７に記載の操作摺動部材。
【請求項９】
前記取り外し可能なファンモジュールと接触するロックレバーを更に含み、前記ロックレバーが第１の位置と第２の位置との間で作動し、前記第１の位置にある前記ロックレバーが前記第１の取り外し可能なファンモジュールを前記第１の取り付けブラケットから押し出し、前記第２の位置にある前記ロックレバーが前記第１の取り外し可能なファンモジュールを前記第１の取り付けブラケットに固定する請求項７又は８に記載の操作摺動部材。
【請求項１０】
異なる電子素子に用いられるモジュール化システムであって、
ハウジングを定義するように複数の側壁及び前パネルを有し、前記前パネルと対向する後端から接続可能な複数の摺動部材スロットを有するラック部品と、複数の操作摺動部材と、複数の取り外し可能なファンモジュールと、を含み、
前記複数の操作摺動部材のそれぞれは、前記摺動部材スロットの１つに取り付けられ、
前記複数の取り外し可能なファンモジュールのそれぞれは、前記操作摺動部材の１つに取り付けられる、モジュール化システム。
【発明の詳細な説明】
【技術分野】
【０００１】
本開示は、一般的に、モジュール化素子電子装置に用いられるファンシステムに関する。より具体的に、本開示は、操作摺動部材（ｓｌｅｄ：スレッド）によってモジュール化したファンを交換すると共に装置動作を維持するモジュール化したファンの電子装置への使用に関する。
【背景技術】
【０００２】
クラウドコンピューティングアプリケーションの出現に伴って、分散ネットワークシステムは、広く使用されている。ネットワークシステムは、サーバ、スイッチ及び他の素子を含む多くの接続装置をカバーする。伝統的に、このような装置は、複数の固定回路基板、並びに冷却システム及び電力システムのような他の素子を有する。しかし、ネットワークシステムの使用が高まることにつれて、柔軟性及び部品のアップグレードに対する要求も高まっている。最近、ネットワーク装置は、モジュール化した設計に基づいてラック部材のようなシャーシを有する。ラック部材は、コントローラ、データ及び電源コネクタのような特定の素子を含む。ラック部材には、ラック部材に接続可能なハードウェア素子を含む、交換可能な操作摺動部材を取り付けるためのスロットもある。この設計の利点は、ネットワーク装置の他の素子を破棄せずに、ハードウェア素子を有する独立した操作を変更又は維持することが可能である。ネットワーク管理者は、アプライアンス全体を交換することなくハードウェアをアップグレード又は変更できるため、より大きな柔軟性の恩恵を受けることができる。
【０００３】
なお、本発明に関して記載すべき先行技術文献はない。出願人が知っている先行技術が文献公知発明に係るものではないからである。
【発明の概要】
【発明が解決しようとする課題】
【０００４】
ネットワーク装置のハードウェア素子は、動作中に熱を発生させるため、動作中にファンシステムによって素子を冷却することが要求される。より多くのモジュール化した装置では、操作摺動部材がラック部材により保持されたスロットに挿入される。ファン壁のような中央ファンシステムは、アセンブリに取り付けられた全ての摺動部材を冷却するように、ラック部材の一端に取り付けられる。しかし、独立した操作摺動部材を交換又は接続する場合は、操作摺動部材を接続するためにファンシステムを取り外す必要があるため、装置全体をパワーダウンする必要がある。単独した摺動部材が取り外される場合、ファンは機能しない。ファン壁なしで装置を操作すると、残りの摺動部材における素子の過熱を引き起こす。
【課題を解決するための手段】
【０００５】
図１は、背面１４を有するラック部品１２を含む例えばネットワーク交換機のような典型的な従来技術に係るネットワークコンピューティング装置１０を示す。ラック部品１２は、側壁１６及び１８を有し、前部品２０によって閉鎖される。前部品２０がラインカード、ファブリックカード（ｆａｂｒｉｃ  ｃａｒｄ）及び他の電子交換設備を固定する。背面１４は、常に開かれて、例えば側壁１６及び１８によって位置決めされた操作摺動部材２２、２４、２６、２８のような複数の操作摺動部材の取り付けを可能にする。複数の操作摺動部材２２、２４、２６、２８の各々は、例えば、コア処理及びメモリ等のハードウェアのテンプレートのような各種の素子を含む。テンプレートが更に前部品２０におけるラインカード及びファブリックカードに接続される。複数の摺動部材２２、２４、２６、２８におけるテンプレート上の素子及び前部品２０の生じた熱がファン壁３０によって冷却される。ファン壁３０が摺動部材２２、２４、２６、２８の付近にある複数のファンを含む。一般的には、操作摺動部材２２、２４、２６、２８をラック部品１２に置いてから、ファン壁３０を装置１０の背面１４に取り付ける。
【０００６】
ファン壁３０は、複数の摺動部材２２、２４、２６、２８の各々のハードウェア素子の操作時の生じた熱気に直接の出口を提供するように、挿入された操作摺動部材２２、２４、２６、２８の付近に位置する。ファン壁３０におけるファンは、この熱気を装置１０の背面１４から排出させる。ラック部品１２の背面から摺動部材２２、２４、２６、２８を交換又は修復するために、まずファン壁３０を取り外す必要があり、更にラック部品１２から単独した摺動部材を取り外すことができる。ファン壁３０がこれにより機能しないので、単一の摺動部材を取り外す期間中、他の摺動部材を操作することができない。従って、単一の摺動部材を交換又はメンテナンスするために、装置１０の操作を中断しなければならない。
【０００７】
従って、単一の摺動部材を交換する時に複数の摺動部材を操作することを可能にするモジュール化したファンシステムを含むシステムが求められる。また、１組のファンのみを取り外すことによって異なる素子の冷却を可能にするモジュール化したファンシステムも求められる。なお、操作摺動部材に独立に組み合わせられき且つ操作摺動部材から取り除かれることのできるファンモジュールが求められる。
【０００８】
本開示の一態様は、ラック部品と、複数の操作摺動部材と、複数の取り外し可能なファンモジュールと、を含む、ネットワーク装置である。ラック部品は、ハウジングを形成するように側壁を有し、後端から入ることのできる複数の摺動部材スロットを有する。複数の操作摺動部材のそれぞれは、摺動部材スロットの１つに取り付けられる。複数の取り外し可能なファンモジュールのそれぞれは、操作摺動部材の１つに取り付けられる。
【０００９】
本開示の別の態様は、ネットワーク装置のラック部品から取り除かれることのできる操作摺動部材である。操作摺動部材は、ケースと、回路板と、ファン取り付けブラケットと、取り外し可能なファンモジュールと、を含む。ケースが前部及び後部を定義するように側壁を有する。回路板が後部に位置し、ファン取り付けブラケットが前部に位置する。取り外し可能なファンモジュールは、ファン取り付けブラケットに挿入され、モータ及びファンを含む。
【００１０】
本開示のもう１つの態様は、異なる電子素子に用いられるモジュール化システムである。モジュール化システムは、ラック部品と、複数の操作摺動部材と、複数の取り外し可能なファンモジュールと、を含む。ラック部品は、ハウジングを定義するように複数の側壁及び前パネルを有し、前パネルと対向する後端から接続可能な複数の摺動部材スロットを有する。複数の操作摺動部材のそれぞれは、摺動部材スロットの１つに取り付けられる。複数の取り外し可能なファンモジュールのそれぞれは、操作摺動部材の１つに取り付けられる。
【図面の簡単な説明】
【００１１】
本開示の様々な態様は、添付図面と併せて読むと、以下の詳細な説明からよりよく理解することができる。
【図１】操作摺動部材及び操作摺動部材の冷却に用いられるファン壁を含む従来技術に係るシステムを示す。
【図２】複数の操作摺動部材及び対応するファンモジュールを有するネットワーク装置の一実施例のブロック図である。
【図３】図２のネットワーク装置の取り外し可能なファンモジュール及び操作摺動部材の斜視図である。
【図４Ａ】図３における１つの操作摺動部材の斜視背面図である。
【図４Ｂ】図３における１つの操作摺動部材の斜視正面図である。
【図４Ｃ】図３における１つの操作摺動部材の複数の素子を示す分解斜視図である。
【発明を実施するための形態】
【００１２】
本発明は、多くの異なる形態で体現されることができる。添付図面において、代表的な実施例を示し、ここで詳細に説明するが、本開示の原理の範例又は説明として理解され、且つ本開示の範囲を実施例の図面に限定することを意図するものではない。この場合、要素及び制限は、例えば、要約、発明内容及び詳しい説明の部分に開示されているが、請求項に明示的に記載されていないため、暗示、推論、又は別の形態によって別個に又は集合的に請求項に組み込まれるべきではない。特記しない限り、詳しく説明するために、単数はパッケージの数を含み、逆も同様であり、「含む」という単語は「含むが、これに限定されない」を意味する。また、「約」、「ほぼ」、「実質的に」、「近似する」等の同様の用語は、本明細書では、「〜付近」又は「３〜５％以内」又は「許容される製造許容誤差内」、或いは任意の論理的組合せを示すことに用いられることができる。
【００１３】
図２は、複数の操作摺動部材及び対応するファンモジュールを有するネットワーク装置の一実施例のブロック図である。この実施例において、ネットワーク装置１００は、ネットワークノードに接続されるためのファブリックカード（ｆａｂｒｉｃ  ｃａｒｄ）及びネットワークカードを有する１つのネットワーク交換機である。図２において、装置１００は、背面１０４と２つの側壁１０６、１０８を含むラック部品１０２を備える。前部品１１０は、ラインカード、ファブリックカード、及びネットワークノードと他のネットワーク装置からのケーブルの接続ポートを含む固定前パネル（未図示）を支持する。前部品１１０におけるハードウェアがケーブルを連続的に接続し切断するニーズのため、前部品１１０は、永久に側壁１０６、１０８に接続される。従って、前部品１１０及び側壁１０６、１０８が結合して、ラック部品１０２を定義するハウジングに形成する。
【００１４】
ラック部品１０２は、ネットワークインタフェース回路、電源インタフェース回路、ブロックコントローラ等のような基板又は背板における素子を含む。この実施例において、ラック部品１０２は、４つの操作摺動部材１２２、１２４、１２６、１２８を前部品１１０及び側壁１０６、１０８によって形成されたハウジングの中に固定する。操作摺動部材１２２、１２４、１２６、１２８は、ラック部品１０２からそれぞれ押し出されてもよいので、修理され交換されることができる。この実施例において、操作摺動部材１２２、１２４、１２６、１２８は、プロセッサー、メモリ及びインタフェース回路のような各種の素子を支持し、これらの素子が前部品１１０のラインカードとファブリックカードに結合（ｃｏｕｐｌｉｎｇ）されてもよい。操作摺動部材１２２、１２４、１２６、１２８は、電源及びデータ信号を受けるように、ラック部品１０２の素子に接続されてよい。
【００１５】
１組のファンモジュール１３２、１３４、１３６、１３８は、対応する操作摺動部材１２２、１２４、１２６、１２８に取り付けられる。ファンモジュール１３２、１３４、１３６、１３８は、モータによって給電される１つ又は複数のファンを含んでもよく、背面１０４によって操作摺動部材１２２、１２４、１２６、１２８の各素子を冷却することができる。以下のように、複数のファンモジュール１３２、１３４、１３６、１３８の各々は、それぞれ単一の操作摺動部材に接続される。従って、複数の操作摺動部材１２２、１２４、１２６、１２８の各々は、個別に取り除かれてもよいが、各々のファンモジュールによって冷却されることができるため、操作摺動部材の残りの部分が持続的に操作できる。また、ファンモジュール１３２、１３４、１３６、１３８は、各々の操作摺動部材から取り除かれてもよく、その同時に摺動部材が依然としてラック部品１０２に接続される。
【００１６】
図３は、図２におけるネットワーク装置１００の斜視図である。図３に示すように、ネットワーク装置１００のラック部品１０２は、操作摺動部材１２２、１２４、１２６、１２８を側壁１０６と１０８との間に取り付ける。操作摺動部材１２２、１２４、１２６、１２８は、背面１０４によって取り付けられまた取り除かれる。図３に示すように、操作摺動部材１２４は、既に部分的に取り除かれ、他の操作摺動部材１２２、１２６、１２８は、依然としてラック部品１０２の中に取り付けられる。図３に示すように、操作摺動部材１２４は、既にラック部品１０２から引き出され、接続されたファンモジュール１３４及び別のファンモジュール１３５が予め摺動部材１２４に取り付けられる。図３において、ファンモジュール１３５は、既に操作摺動部材１２４から取り除かれる。この例において、複数の操作摺動部材１２２、１２４、１２６、１２８の各々は、２つのファンモジュールを含む。例えば、操作摺動部材１２６は、ファンモジュール１３６、１３７を支持し、操作摺動部材１２８は、ファンモジュール１３８、１３９を支持する。複数のファンモジュール１３２、１３４、１３５、１３６、１３７、１３８、１３９の各々は、同じであり、電動モータ（未図示）によって動作されるファンを含む。ファンモジュール１３２、１３４、１３５、１３６、１３７、１３８、１３９は、それぞれラック部品１０２からの電源回路によって接続し給電される。理解すべきなのは、２つのファンモジュールが各操作摺動部材に接続されるが、複数の操作摺動部材の各々は、複数のファンモジュールを含んでもよい。
【００１７】
図３の取り除かれる操作摺動部材１２４のように、操作摺動部材１２４は、長方形のケース２００を含む。ケース２００は、摺動部材側壁２０２、２０４、上部ボード２０６及び下部ボード２０８を含む。下部ボード２０８は、ピン２１０のような取り付け素子を含み、ラック部品１０２におけるノッチ（未図示）と組み合わせてもよく、操作摺動部材１２４がラック部品１０２に入る又はラック部品１０２から出されることを可能にする。ケース２００は、１つ又は複数の回路板（未図示）及びラック部品１０２からの電力及び電子データ信号ためのコネクタを含む。回路板は、摺動部材側壁２０２、２０４、上部ボード２０６又は下部ボード２０８に接続されてもよい。上部ボード２０６は、操作摺動部材１２４の位置決めに寄与するダイナミックフールプルーフガイドスロット２０９を含む。操作摺動部材１２４は、外部が操作摺動部材１２４の回路板上の素子に接続されることを可能にするように、ＵＳＢポート、イーサネット（登録商標）ポート（Ｅｔｈｅｒｎｅｔ  ｐｏｒｔ）等の外部接続ポートを含むコネクタパネル２２０を備える。図３における操作摺動部材１２２、１２６、１２８に示すように、操作摺動部材１２４が完全にラック部品１０２に挿入される場合、ロック素子２２２は、操作摺動部材１２４をラック部品１０２にロックすることに用いられる。操作摺動部材１２４のケース２００は、前部２３０及び後部２３２を含む。後部２３２は、プロセッサー、メモリ及び他の集成回路のようなハードウェア素子、及び電源とデータインタフェース素子を有する各種の回路板を支持する。この例において、前部２３０は、２つのファン取り付けブラケット２４０、２４２を含み、ファン取り付けブラケット２４０、２４２の各々がそれぞれ各々のファンモジュール１３４、１３５を支持するための支持コンポーネントを含み、それがケース２００の後部２３２における回路板と結合する。ファンパーティション２４５（例えば、操作摺動部材１２６に示すように）は、２つのファンモジュールを分離させる。ファン取り付けブラケット２４０、２４２は、何れも取り外し可能なファンモジュール１３４、１３５と接触するロックレバー２４６を含む。ロックレバー２４６は、第１の位置と第２の位置との間で作動されることができ、第１の位置にあるロックレバー２４６が取り外し可能なファンモジュールを取り付けブラケットの中から押し出し、第２の位置あるロックレバー２４６が取り外し可能なファンモジュールを取り付けブラケットに固定する。例えば、ロックレバー２４６が外へ回転する場合、図３のファンモジュール１３５に示すように、ファンモジュールがファン取り付けブラケットの中から押し出されて、ファンモジュールが取り除かれることを可能にする。ファンモジュールが１つファン取り付けブラケット２４０、２４２に挿入される場合、ロックレバー２４６は、ファンモジュールをファン取り付けブラケットにおける適切な位置にロックするように、、操作摺動部材１２４へ向かって回転する。
【００１８】
図４Ａは、図３における操作摺動部材１２４の斜視背面図である。図４Ｂは、図３における操作摺動部材１２４の斜視正面図である。図４Ｃは、操作摺動部材１２４の素子の分解斜視図である。図４Ａ−４Ｃにおいて、同じ素子は、図３での同じ素子符号で示される。この例において、操作摺動部材１２４は、ファブリックカード４１０と関連する電子装置を支持する。理解すべきなのは、他の如何なるタイプの電子素子も、操作摺動部材１２４とファン１３４、１３５の構造に取り付けられてよい。
【００１９】
図４Ａ〜４Ｃに示すように、ケース２００は、摺動部材側壁２０４、上部ボード２０６及び下部ボード２０８を有するファブリックカード摺動部材ブラケット４２０を含む。摺動部材ブラケット４２０は、摺動部材側壁２０２の一部を更に含む。ファブリックカード摺動部材蓋４２２は、摺動部材側壁２０２の残りの部分を形成し、ファブリックカード摺動部材ブラケット４２０から取り除かれてもよい。図４Ｃから分かるように、ファブリックカード４１０は、図２における装置１００の前部品の対応するコネクタと合わせる各種の電子素子及びコネクタ４３０を含む。ケース２００は、また、ファンモジュール１３４、１３５の操作を制御するように制御素子を有するファンプレート４４０を支持する。ファンモジュール１３４、１３５の各々は、ファンプレート４４０に接続されるコネクタを含む。ケース２００は、また、操作摺動部材１２４の素子の操作を管理するＣＰＵプレート４５０を支持する。
【００２０】
図３に示すように、複数のファンモジュール１３２、１３４、１３５、１３６、１３７、１３８、１３９の各々は、何れも同じであり且つ同じ素子を含む。複数のファンモジュール１３２、１３４、１３５、１３６、１３７、１３８、１３９の各々は、それぞれ各々の操作摺動部材から取り外され且つ交換されることができる。操作摺動部材が完全に図３における操作摺動部材１２２、１２６、１２８のラック部品１０２に取り付けられるかに関わらず、或いは、部分的又は全部に図３における操作摺動部材１２４のような操作摺動部材が取り除かれる場合、何れもファンモジュールを取り外すことができる。
【００２１】
例えば、ファンモジュール１３５は、操作摺動部材１２４上の素子の生じた熱気が内部ファンによってラック部品１０２の外部へ抽出されることを可能にするように、グリル３１２を固定する前フレーム３１０を含む。フレーム３１０の一側に、静電気防止用弾性片３１４が固定される。ファンモジュール１３５は、トップヒートシンク３２２及び前フレーム３１０から後へ突出するファンドアボタン３２４を含み、ファンモジュール１３５を操作摺動部材１２４のブラケット２４２に位置合わせることに寄与する。ファンハンドル３２６は、ロックレバー２４６が解放された後、使用者が操作摺動部材からファンモジュール１３５を引き出すことを可能にするように、グリル３１２の下の前フレーム３１０に接続される。
【００２２】
ファンモジュール１３５は、前フレーム３１０の付近に位置するファンモータ及び接続されたファンを支持するファン取り付け部品３３０を含む。ファン取り付け部品３３０は、前フレーム３１０と後ファンシールド３３２との間に固定される。ファンモジュール１３５の後部は、ラック部品１０２又は操作摺動部材上のコントローラがモジュール１３５のファン速度の操作を制御し監視することを可能にする電力接続及び制御接続を含む。この実施例において、前フレーム３１０、ファン取り付け部品３３０及び後ファンシールドの高さ、幅及び深さは、ファンモジュール１３５が操作摺動部材１２４の何れか１つの取り付けブラケット２４０又は２４２と組み合わせることを可能にする。
【００２３】
ファンモジュール１３２、１３４、１３５、１３６、１３７、１３８、１３９のモジュール化特性は、ファンモジュール１３２、１３４、１３５、１３６、１３７、１３８、１３９における何れか１つが交換され、他のファンモジュールが継続的に動作することを可能にする。これにより、操作摺動部材におけるハードウェア素子及びラック部品１０２は、冷却されることができ、それで継続的に動作する。例えば、図３に示すファンモジュール１３６及び操作摺動部材１２６は、離れるが依然としてラック部品１０２の中に取り付けられる。従って、別のファンモジュール１３７によって冷却を行うことができるため、ファンモジュール１３６は交換されることができ、その同時に操作摺動部材１２６の素子が依然として給電し操作されることができる。従って、単一のファンモジュールの故障は、ネットワーク装置１００全体ひいては単独した摺動部材の動作を停止し電源を切ることでファンモジュールを交換する必要がない。
【００２４】
また、ファンモジュール１３２、１３４、１３５、１３６、１３７、１３８、１３９のモジュール化特性は、交換又はメンテナンスのために操作摺動部材全体が取り除かれることを可能にすると共に、他の操作摺動部材の動作を可能にする。図３に示すように、操作摺動部材１２４は、ロック素子２２２を緩み操作摺動部材１２４をラック部品１０２から引き出すことで、ラック部品１０２から取り除かれることができる。ラック部品１０２から取り除かれると、ファンモジュール（例えばファンモジュール１３４、１３５）が操作摺動部材１２４から取り除かれる場合、操作摺動部材１２４における回路板を交換することができる。回路板又は板を交換する又は修復した後、ファンモジュール１３４、１３５を交換でき、且つラック部品１０２に操作摺動部材１２４が挿入されることができる。或いは、操作摺動部材１２４全体は、別の操作摺動部材によって取って代ることができる。ファンモジュール１３４、１３５は、取り外し可能でありモジュール化したものであるため、操作摺動部材１２４の素子が故障すると、これらのファンモジュール１３４、１３５も他の操作摺動部材と重複して使用されることができる。
【００２５】
残りのファンモジュールは、依然として各々の操作摺動部材１２２、１２６、１２８に取り付けられるため、操作摺動部材１２４が取り除かれる場合、動作を保持し操作摺動部材の素子及びラック部品１０２における素子を冷却する。従って、他の摺動部材のハードウェア素子は、動作を維持すると共に、その１つ又は複数の他の操作摺動部材を取り除くことができる。上記の例がネットワーク装置１００に関するが、理解すべきなのは、モジュール化したファン設計は、如何なるタイプのモジュール化装置と一緒に使用されて、図３〜図４に示す操作摺動部材における異なる電子素子に用いられてもよく、前記モジュール化したファンが図２〜図３におけるネットワーク装置１００の中に挿入される。
【００２６】
本明細書で使用する「素子」、「モジュール」、「システム」等の用語は、一般的に、コンピュータ関連エンティティ、ハードウェア（例えば、回路）、ハードウェアとソフトウェアとの組み合わせ、ソフトウェア、又は１つ以上の特定の機能を有する操作機械のエンティティを指す。例えば、素子は、プロセッサー上の処理プロセス（例えば、データ信号プロセッサー）、プロセッサー、オブジェクト、実行可能ファイル（ｅｘｅｃｕｔａｂｌｅ）、実行スレッド（ｔｈｒｅａｄ  ｏｆ  ｅｘｅｃｕｔｉｏｎ）、プログラム、及び／又はコンピュータであってもよいが、これらに限定されない。説明として、コントローラ上で動作するアプリケーション及びコントローラは、何れも素子であってもよい。１つ又は複数の素子は、プログラム及び／又は実行スレッド内に存在してもよく、素子は、１つのコンピュータに配置されてもよく、及び／又は２つ以上のコンピュータの間に分散されてもよい。また、「装置」は、特別に設計されたハードウェアの形態をとることができ、汎用ハードウェア上でソフトウェア特殊化を実行することで、ハードウェアは、特定の機能を実行することができ、ソフトウェアは、コンピュータ可読媒体（ｃｏｍｐｕｔｅｒ−ｒｅａｄａｂｌｅ  ｍｅｄｉｕｍ）に記憶されることができ、又はそれらの組み合わせは可能である。
【００２７】
コンピュータ装置は、典型的には、コンピュータ可読媒体及／又は通信媒体を含むことができる様々な媒体を備え、本明細書で２つの用語は互いに異なり、以下のように使用されることができる。コンピュータ可読媒体は、コンピュータによってアクセス可能な任意の利用可能な記憶媒体であってもよく、一般的に非一時的であり、揮発性（ｖｏｌａｔｉｌｅ）及び不揮発性（ｎｏｎｖｏｌａｔｉｌｅ）媒体、取外し可能および取外し不可能媒体の両方を含む。限定ではなく例として、コンピュータ可読媒体は、コンピュータ可読命令、プログラムモジュール、構造化データ又は非構造化データのような情報を記憶するための任意の方法又は技術との組み合わせを実現することができる。コンピュータ可読媒体は、ダイナミックランダムアクセスメモリ（ＲＡＭ）、リードオンリメモリ（ＲＯＭ）、電気的に消去可能なプログラマブルリードオンリーメモリ（ＥＥＰＲＯＭ）、フラッシュメモリ（ｆｌａｓｈ  ｍｅｍｏｒｙ）、及び他の記憶技術、ＣＤ−ＲＯＭドライブ（ＣＤ−ＲＯＭ）、デジタル多用途ディスクプレーヤ（ｄｉｇｉｔａｌ  ｖｅｒｓａｔｉｌｅ  ｄｉｓｋ；ＤＶＤ）又は他の光ディスクストレージ、磁気カセット、磁気テープ、磁気ディスク記憶装置又は他の磁気記憶装置、或いは所望の情報を格納するために使用される他の有形及び／又は非一時的媒体を含むが、これらに限定されない。コンピュータ可読媒体は、媒体による情報を記憶するための様々な動作に対処するために、アクセスニーズ、クエリ、又は他のデータ検索プロトコルのような、１つ又は複数のローカル（ｌｏｃａｌ）又はリモート（ｒｅｍｏｔｅ）コンピューティング装置を介してアクセスすることができる。
【００２８】
本明細書で使用する用語は、特定の実施例を説明するためのものだけであり、本開示を限定するものではない。本明細書で使用されるように、単数形の「一」及び「前記」は、文脈上他に明確に指示されない限り、複数の指示対象を含む。更に、これらの詳細な説明及び／又は特許請求の範囲において用語「含む」、「備える」、「有する」、「ある」、「持つ」又はそれらの変形が使用され、これらの用語は、類似的な用語「含む」を含むことが意図されている。
【００２９】
別に定義されない限り、本明細書で使用される全ての用語（技術用語及び科学用語を含む）は、当業者によって一般的に理解されるのと同じ意味を有する。更に、一般的に使用される辞書に定義されているような用語は、関連技術の文脈において一貫した意味を有すると解釈されるべきであり、本明細書で明示的に定義されない限り、理想化された又は過度に正式な形で解釈されることはない。
【００３０】
以上、本開示の様々な実施例について詳細に説明したが、それらは例示にすぎず、限定ではないことを理解されたい。本開示の精神又は範囲から逸脱しない限り、本明細書の開示に基づいて、開示された実施例に多くの修正を加えることができる。従って、本開示の幅及び範囲は、上記の実施例のいずれによっても制限されるべきではない。反対に、本開示の範囲は、添付の特許請求の範囲及びそれらの等価物によって定義されるべきである。
【００３１】
本開示は、１つ又は複数の実施例に関して記載及び説明されているが、本明細書及び図面を読んで理解すると、同等の変更及び修正が当業者には想到し得ることである。また、本開示の特定の特徴がいくつかの実行プロセスのうちの1つに関して開示されているが、この特徴は、任意の所与の適用又は特定の適用に望ましい又は有益であるかもしれない他の実行プロセスの1つ又は複数の他の特徴と組み合わせることができる。
【符号の説明】
【００３２】
１０  ネットワークコンピューティング装置
１２  ラック部品
１４  背面
１６、１８  側壁
２０  前部品
２２、２４、２６、２８  操作摺動部材
３０  ファン壁
１００  ネットワーク装置
１０２  ラック部品
１０４  背面
１０６、１０８  側壁
１１０  前部品
１２２、１２４、１２６、１２８  操作摺動部材
１３２、１３４、１３５、１３６、１３７、１３８、１３９  ファンモジュール
２００  ケース
２０２、２０４  摺動部材側壁
２０６  上部ボード
２０８  下部ボード
２０９  ダイナミックフールプルーフガイドスロット
２１０  ピン
２２０  コネクタパネル
２２２  ロック素子
２３０  前部
２３２  後部
２４０、２４２  ファン取り付けブラケット
２４５  ファンパーティション
２４６  ロックレバー
３１０  フレーム
３１２  グリル
３１４  弾性片
３２２  トップヒートシンク
３２４  ファンドアボタン
３２６  ファンハンドル
３３０  ファン取り付け部品
３３２  後ファンシールド
４１０  ファブリックカード
４２０  摺動部材ブラケット
４２２  摺動部材蓋
４３０  コネクタ
４４０  ファンプレート
４５０  ＣＰＵプレート
【図１】
2019046445.tif 000003
【図２】
2019046445.tif 000004
【図３】
2019046445.tif 000005
【図４Ａ】
2019046445.tif 000006
【図４Ｂ】
2019046445.tif 000007
【図４Ｃ】
2019046445.tif 000008